(57)【要約】【課題】簡易な冷却手段を用いて発電を好適に継続することを可能とする、コージェネレーションシステム等を提供する。【解決手段】本発明に係るコージェネレーションシステム１は、電気と熱を発生する発電装置１００と、湯水を貯える貯湯槽２０と、貯湯槽２０と発電装置１００との間で熱交換器６を介して湯水を循環させる熱回収循環回路７と、熱回収循環回路７中の貯湯槽２０から発電装置１００へ湯水を通流する熱回収戻り管路７ｂと接触して設けられるペルチェ素子２００と、ペルチェ素子２００の温度特性を制御する制御装置１０と、を備える。【選択図】図１
2017116192.tif 000002
【特許請求の範囲】
【請求項１】
電気と熱を発生する発電装置と、
湯水を貯える貯湯槽と、
前記貯湯槽と前記発電装置との間で熱交換器を介して湯水を循環させる熱回収循環回路と、
前記熱回収循環回路中の前記貯湯槽から前記発電装置へ湯水を通流する熱回収戻り管路と接触して設けられるペルチェ素子と、
前記ペルチェ素子の温度特性を制御する制御装置と、
を備えることを特徴とするコージェネレーションシステム。
【請求項２】
前記制御装置は、前記熱回収戻り管路を冷却するように前記ペルチェ素子を制御する
ことを特徴とする請求項１に記載のコージェネレーションシステム。
【請求項３】
前記発電装置の発電により余った余剰電力を熱に変換して消費する余剰電力消費ヒータ、を更に備え、
通常時には、余剰電力を前記余剰電力消費ヒータへ優先的に供給し、
非常時には、余剰電力を前記余剰電力消費ヒータに換えて前記ペルチェ素子へ優先的に供給する
ことを特徴とする請求項１または請求項２に記載のコージェネレーションシステム。
【請求項４】
前記熱回収戻り管路を通流する湯水が凍結するおそれのある場合、前記制御装置は、前記熱回収戻り管路を加熱するように前記ペルチェ素子を制御する
ことを特徴とする請求項１に記載のコージェネレーションシステム。
【請求項５】
前記熱回収戻り管路と接触するペルチェ素子面の反対面が、コージェネレーションシステムの機器筐体と接触している
ことを特徴とする請求項２に記載のコージェネレーションシステム。
【請求項６】
暖房端末を介して熱媒体を循環させる暖房回路、を備え、
前記熱回収戻り管路と接触するペルチェ素子面の反対面が、前記暖房回路と接触している
ことを特徴とする請求項２に記載のコージェネレーションシステム。
【請求項７】
前記ペルチェ素子により伝熱された前記暖房回路を通流する熱媒体を、前記暖房回路を加熱する際の給排気に用いるファンにより冷却する
ことを特徴とする請求項５に記載のコージェネレーションシステム。
【請求項８】
電気と熱を発生する発電装置と、湯水を貯える貯湯槽と、前記貯湯槽と前記発電装置との間で熱交換器を介して湯水を循環させる熱回収循環回路と、前記熱回収循環回路中の前記貯湯槽から前記発電装置へ湯水を通流する熱回収戻り管路と接触して設けられるペルチェ素子と、を備えるコージェネレーションシステムの制御装置であって、
前記熱回収戻り管路を冷却するように前記ペルチェ素子を制御する
ことを特徴とする制御装置。
【請求項９】
電気と熱を発生する発電装置と、湯水を貯える貯湯槽と、前記貯湯槽と前記発電装置との間で熱交換器を介して湯水を循環させる熱回収循環回路と、前記熱回収循環回路中の前記貯湯槽から前記発電装置へ湯水を通流する熱回収戻り管路と接触して設けられるペルチェ素子と、ペルチェ素子の温度特性を制御する制御装置と、を備えるコージェネレーションシステムの制御方法であって、
前記制御装置が、前記熱回収戻り管路を冷却するように前記ペルチェ素子を制御する
ことを特徴とする制御方法。
【発明の詳細な説明】
【技術分野】
【０００１】
本発明は、発電装置を用いて発電を行い、その際に発生する熱を冷暖房、給湯等に利用するコージェネレーションシステムに関し、特に、停電が発生した場合に自立運転によって発電を継続する技術に関する。
【背景技術】
【０００２】
発電を継続するためには、一般的に発電装置に戻る湯水が一定の温度以下でなければならない。このため、例えば、貯湯槽から発電装置へ戻る配管にラジエータを設けて湯水の温度上昇を防ぐ方法がとられる。また、特許文献１では、停電時には、貯湯槽に貯まった湯を排水して新たな水を給水することで、貯湯槽の湯の温度を下げ、発電装置へ低い温度の湯水を供給する方法が開示されている。
【先行技術文献】
【特許文献】
【０００３】
【特許文献１】特開２００９−１０３４１８号公報
【発明の概要】
【発明が解決しようとする課題】
【０００４】
しかしながら、ラジエータは大掛かりな冷却装置であるため（例えば、ラジエータは重量がある為、マンションのベランダにコージェネレーションシステムを設置するためには、その重量分、事前にベランダの補強が必要であるため）、機器レイアウトの自由度が制限されるとともに、設備導入コストの負担も大きい。また、冬季にはラジエータ自体が凍結する虞があり、この凍結を防ぐためのヒータを別途設けなければならない場合もある。また、特許文献１に例示されたような給水による冷却は、停電時において給水が止まった場合には対応できない。
【０００５】
本発明は、前述した問題点に鑑みてなされたものであり、その目的とすることは、簡易な冷却手段を用いて、停電時の、特に給水停止時における発電を好適に継続することを可能とする、コージェネレーションシステム等を提供することである。
【課題を解決するための手段】
【０００６】
前述した目的を達成するための第１の発明は、電気と熱を発生する発電装置と、湯水を貯える貯湯槽と、前記貯湯槽と前記発電装置との間で熱交換器を介して湯水を循環させる熱回収循環回路と、前記熱回収循環回路中の前記貯湯槽から前記発電装置へ湯水を通流する熱回収戻り管路と接触するペルチェ素子と、前記ペルチェ素子の温度特性を制御する制御装置と、を備えることを特徴とするコージェネレーションシステムである。
【０００７】
第１の発明に係るコージェネレーションシステムによれば、貯湯槽から発電装置へ湯水を通流する熱回収戻り管路にペルチェ素子が設けられ、このペルチェ素子を用いて熱回収戻り管路を流れる湯水の温度が制御される。ペルチェ素子は小規模なデバイスであるため、ラジエータのように大きな設置スペースを必要とせず、またコスト負担も小さい。これにより、簡易な冷却手段を用いて停電時における発電を好適に継続することが可能となる。
【０００８】
また第１の発明において、前記制御装置は、前記熱回収戻り管路を冷却するように前記ペルチェ素子を制御することが望ましい。これにより、貯湯槽から発電装置へ供給される湯水の温度を適切に下げることができ、発電を長時間に亘り継続することが可能となる。
【０００９】
また第１の発明において、前記発電装置の発電により余った余剰電力を熱に変換して消費する余剰電力消費ヒータ、を更に備え、通常時には、余剰電力を前記余剰電力消費ヒータへ優先的に供給し、非常時には、余剰電力を前記余剰電力消費ヒータに換えて前記ペルチェ素子へ優先的に供給することが望ましい。
これによって、通常時には、余剰電力を余剰電力消費ヒータによって貯湯槽へ通流する湯水を加熱するために利用し、非常時には、発電余剰電力をペルチェ素子によって湯水を冷却するために優先的に利用する。
【００１０】
また第１の発明において、前記熱回収戻り管路を通流する湯水が凍結するおそれのある場合、前記制御装置は、前記熱回収戻り管路を加熱するように前記ペルチェ素子を制御してもよい。これにより、熱回収戻り管路を流れる湯水の温度を適切に上げることができるので、ペルチェ素子を凍結防止手段として利用することができる。
【００１１】
また第１の発明において、前記熱回収戻り管路と接触するペルチェ素子面の反対面が、コージェネレーションシステムの機器筐体と接触していてもよい。これにより、ペルチェ素子により発生した熱をコージェネレーションシステムの機器筐体を介して逃がすことができる。
【００１２】
また第１の発明において、暖房端末を介して熱媒体を循環させる暖房回路、を備え、前記熱回収戻り管路と接触するペルチェ素子面の反対面が、前記暖房回路と接触していてもよい。これにより、熱回収戻り管路から吸熱した熱を暖房回路に放熱させることができる。またこのとき、前記ペルチェ素子により伝熱された前記暖房回路を通流する熱媒体を、前記暖房回路を加熱する際の給排気に用いるファンにより冷却するようにしてもよい。これにより、暖房回路に放熱された熱を、常設されたファンで冷却することができる。
【００１３】
前述した目的を達成するための第２の発明は、電気と熱を発生する発電装置と、湯水を貯える貯湯槽と、前記貯湯槽と前記発電装置との間で熱交換器を介して湯水を循環させる熱回収循環回路と、前記熱回収循環回路中の前記貯湯槽から前記発電装置へ湯水を通流する熱回収戻り管路と接触して設けられるペルチェ素子と、を備えるコージェネレーションシステムの制御装置であって、前記熱回収戻り管路を冷却するように前記ペルチェ素子を制御することを特徴とする制御装置である。
【００１４】
前述した目的を達成するための第３の発明は、電気と熱を発生する発電装置と、湯水を貯える貯湯槽と、前記貯湯槽と前記発電装置との間で熱交換器を介して湯水を循環させる熱回収循環回路と、前記熱回収循環回路中の前記貯湯槽から前記発電装置へ湯水を通流する熱回収戻り管路と接触して設けられるペルチェ素子と、ペルチェ素子の温度特性を制御する制御装置と、を備えるコージェネレーションシステムの制御方法であって、前記制御装置が、前記熱回収戻り管路を冷却するように前記ペルチェ素子を制御することを特徴とする制御方法である。
【発明の効果】
【００１５】
本発明によれば、簡易な冷却手段を用いて停電時における発電を好適に継続することを可能とする、コージェネレーションシステム等が提供される。
【図面の簡単な説明】
【００１６】
【図１】第１実施形態に係るコージェネレーションシステム１の全体構成を示す図
【図２】コージェネレーションシステム１の基本制御動作を示すフローチャート
【図３】ペルチェ素子１２０を用いた冷却制御の動作の流れを示すフローチャート
【図４】ペルチェ素子１２０を用いた凍結防止制御（加熱制御）の動作の流れを示すフローチャート
【図５】第２実施形態に係るコージェネレーションシステム１Ａの全体構成を示す図
【図６】ペルチェ素子１２０Ａを用いた冷却制御の動作の流れを示すフローチャート
【発明を実施するための形態】
【００１７】
以下、添付図面を参照しながら、本発明の好適な実施形態について説明する。
なお、以下の説明及び添付図面において、略同一の機能構成を有する構成要素については、同一の符号を付すことにより重複説明を省略することにする。
【００１８】
［第１実施形態］
まず、図１〜図４を参照して、本発明の第１実施形態について説明する。
【００１９】
＜コージェネレーションシステム１の構成＞
図１は、第１実施形態に係るコージェネレーションシステム１の全体構成を示す図である。図に示すように、コージェネレーションシステム１は、電気と熱を発生する発電装置１００と、湯水を貯える貯湯装置２００（貯湯槽２０）と、貯湯装置２００（貯湯槽２０）と発電装置１００との間で熱交換器６を介して湯水を循環させて発電装置１００の排熱を回収する熱回収循環回路７等を備える。また、本発明では、熱回収循環回路７中の熱回収戻り管路７ｂと接触するようにペルチェ素子１２０が設けられている。ペルチェ素子１２０の温度特性は制御装置１０によって制御される。なお、図１に示すように、発電装置１００と貯湯装置２００とは別体に構成してもよいし、図の例に依らず、両装置を一つの筐体内に構成してもよい。
【００２０】
（１．発電装置）
発電装置１００は、主に、燃料電池１１、水素生成装置２、空気供給装置３、冷却水循環回路４、冷却水ポンプ５、熱交換器６、熱回収循環回路７、熱回収循環ポンプ８、電力変換装置９、制御装置１０、冷却温度センサ１３、及び余剰電力消費ヒータ１４等を備えている。なお、発電装置１００の構成は、特開２０１５−１８７２９号公報に開示されている構成と略同様である。
【００２１】
燃料電池１１は、水素を含有する還元剤ガスと、空気などの酸素を含有する酸化剤ガスとを、電気化学的に反応させることにより、電力と熱とを同時に発生させる。燃料電池１１は、水素イオンを選択的に輸送する高分子電解質膜、および高分子電解質膜の両面に形成された一対の電極、すなわち燃料極（アノード）と空気極（カソード）を複数積層し構成される。アノード及びカソードは、例えば、白金系の金属触媒を担持したカーボン粉末を主成分とし、高分子電解質膜の両面に形成される触媒層、および前記触媒層の外面に形成される、通気性と電子導電性とを併せ持つガス拡散層から構成される。燃料電池１１としては、例えば、固体高分子形やリン酸形、固体酸化物形などが用いられる。
【００２２】
燃料電池１１のアノードには、還元剤ガス供給経路１５の下流端が接続されている。還元剤ガス供給経路１５の上流端は、水素生成装置２に接続されている。これにより、水素生成装置２で生成された水素を多く含む還元剤ガスがアノードに供給される。
【００２３】
燃料電池１１のカソードには、酸化剤ガス供給経路１６の下流端が接続されている。酸化剤ガス供給経路１６の上流端は、空気供給装置３に接続されている。これにより、空気供給装置３からカソードに酸化剤ガスが供給される。酸化剤ガスとしては、主に空気が用いられる。空気供給装置３としては、例えば、遠心ポンプや往復ポンプ、スクロールポンプなどが用いられる。
【００２４】
水素生成装置２は、燃料電池１１の発電に必要な水素を多く含む還元剤ガスを、都市ガスなどの炭化水素系原料に水蒸気を添加し、改質反応させて生成する。水素生成装置２は、メタンを主成分とする天然ガスや都市ガス、ブタン、プロパンなどを主成分とするＬＰＧ、灯油、アルコール（メタノール）、ジメチルエーテルといった原料を改質することにより水素を生成してもよい。
【００２５】
冷却水循環回路４には、冷却水ポンプ５、冷却温度センサ１３、燃料電池１１、余剰電力消費ヒータ１４、および熱交換器６が接続されている。燃料電池１１には、冷却水ポンプ５を駆動させることで、冷却水循環回路４を通じて冷却水を供給する。これにより、燃料電池１１の発電により発生する熱が除去される。冷却水は、燃料電池１１で加熱されたあと、熱交換器６により湯水に熱を伝達して冷却され、再び燃料電池１１へと供給される。冷却水ポンプ５には、主に遠心ポンプや斜流ポンプ、往復ポンプなどが用いられ、熱交換器６には、主にプレート式熱交換器や二重管式熱交換器、フィンチューブ式熱交換器などが用いられる。余剰電力消費ヒータ１４は、発電により余った電力を熱にして消費するものであり、配管内に挿入され直接的に冷却媒体を加熱してもよく、配管外に設置され間接的に冷却媒体を加熱してもよい。さらに、冷却水循環回路４に設置されてもよく、熱回収循環回路７に設置されてもよい。
【００２６】
熱回収循環回路７は、貯湯槽２０の下部から貯湯槽２０の上部へと接続されている。また熱回収循環回路７の途中には、熱回収循環ポンプ８、および熱交換器６が接続されている。具体的には、熱回収循環回路７は、熱交換器６から貯湯槽２０までの熱回収往き管路７ａと貯湯槽２０から熱交換器６までの熱回収戻り管路７ｂとで形成される。熱回収戻り管路７ｂにより、貯湯槽２０の下部の低温の湯水が熱交換器６に供給され、燃料電池１１が発生した熱により加熱され、熱回収往き管路７ａを通じて貯湯槽２０の上部に回収される。熱回収循環回路７を循環する湯水の循環量は、制御装置１０が熱回収循環ポンプ８を制御することによって調整される。熱回収循環ポンプ８には、主に遠心ポンプや斜流ポンプ、往復ポンプなどが用いられる。熱回収循環ポンプ８は、図１の例に限らず、貯湯装置２００側に設置されてもよい。
【００２７】
電力変換装置９は、燃料電池１１で発電された直流電力を交流電力に変換して電力負荷に供給する。電力変換装置９の一方側は、直流電力経路１７を介して、燃料電池１１と接続されている。また、電力変換装置９の他方側は、交流電力経路１８を介して、家庭の電化製品などの電力負荷（不図示）、商用電源（不図示）に接続されている。また交流電力経路１８には、自動電源切替器（不図示）が接続されている。この自動電源切替器は、停電が発生すると、電力の供給先を商用電源から停電時専用の停電時専用コンセント（不図示）に自動で切り替える。
【００２８】
（２．貯湯装置）
貯湯装置２００は、貯湯槽２０を備えており、この貯湯槽２０は、熱交換後の湯水を貯える。すなわち、貯湯槽２０内の湯水は、貯湯槽２０の下部から熱回収戻り管路７ｂへ流出して、熱交換器６によって加熱され、さらに熱回収往き管路７ａを流れて貯湯槽２０の上部から貯湯槽２０へ回収され貯えられる。貯湯槽２０内の湯水は、最初、温度が低い状態から、貯湯槽２０の上部に熱交換器６により加熱された高温の温水が逐次戻されることから、冷水層の上部に高温層が積層した状態（「温度成層」）となる。したがって、貯湯槽２０の内部下方には相対的に低温の湯水が貯えられ、貯湯槽２０の内部上方には相対的に高温の湯水が貯えられる状態となる。また貯湯槽２０は、貯められた湯水の放熱を防ぐため、通常、断熱材で覆われている。
【００２９】
熱回収循環回路７（熱回収往き管路７ａ）に設けられている熱回収温度センサ１９ａによって、発電装置１００で排熱を回収して貯湯槽２０へ貯えられる湯水の温度が検出される。また、熱回収循環回路７（熱回収戻り管路７ｂ）に設けられている熱回収温度センサ１９ｂによって、貯湯槽２０から流出して発電装置１００に供給される湯水の温度が検出される。熱回収温度センサ１９ａ、１９ｂの検出データは、制御装置１０に伝達され、記憶部に記憶される。
【００３０】
貯湯装置２００は、蓄熱された貯湯槽２０内の湯水を給湯、風呂に利用する。また図示しない貯湯槽２０内の湯水を水−水熱交換器を通して熱を取り出し、暖房等に利用する。貯湯装置２００は、給湯機能と風呂の追い焚き機能と暖房機能とを備えており、暖房端末５０（５０ａ〜５０ｃ）と浴槽２７とを熱的に接続して形成されている。暖房端末５０（５０ａ〜５０ｃ）に液体（例えば温水）を循環させる暖房回路２１は、貯湯装置２００の筐体内に設けられた管路８９，９０，９１，９２，９３，９４，９５，９６，９７，９８，９９と、貯湯装置２００の外部に設けられた管路４０，４１，４４，４５，５９とを有している。
【００３１】
管路４０は管路９７に接続され、管路４１，４４は液体合流手段３５と管路５９と介して管路９５に接続され、管路４５は液体分岐手段３７を介して管路９０に接続されている。管路４０，４１には、暖房端末５０ａの内部通路５１が接続され、管路４４，４５には、暖房端末５０ｂ，５０ｃの内部通路５２がそれぞれ接続されている。暖房端末５０ｂ，５０ｃは例えば温水マット等の低温暖房端末である。暖房端末５０ａは予め定められる高温暖房設定温度（例えば８０℃）の液体が供給される浴室暖房機等の高温暖房端末である。暖房端末５０ａには熱動弁５３が設けられている。なお、液体分岐手段３７と液体合流手段３５には、必要に応じ、同図に示している以外の暖房端末を接続することができる。
【００３２】
暖房回路２１には、この暖房回路２１に液体を循環させる暖房循環ポンプ２６と、この暖房循環ポンプ２６の駆動により循環する液体を加熱する暖房用熱交換器２８（暖房潜熱熱交換器２８ａ，暖房顕熱熱交換器２８ｂ）が設けられている。暖房潜熱熱交換器２８ａの液体導入側には管路９５が、液体導出側には管路９４がそれぞれ接続されており、暖房顕熱熱交換器２８ｂの液体導入側には管路９１が、液体導出側には管路９２がそれぞれ接続されている。管路９２には、暖房高温温度センサ３３が設けられており、暖房顕熱熱交換器２８ｂから出る液体の温度を検出する。
【００３３】
また、管路９１は、暖房循環ポンプ２６の吐出側に、管路９０と共に接続されており、管路９１には、暖房顕熱熱交換器２８ｂに導入される液体の温度を検出する暖房低温温度センサ３６が設けられている。また、暖房循環ポンプ２６の吸入口側には管路９３が接続されており、管路９３と管路９４との間にはシスターン装置６０が介設されている。シスターン装置６０のタンク容量は、例えば約１〜１．８リットルである。シスターン装置６０の上部には、補給水電磁弁６１が設けられ、この補給水電磁弁６１には、給水通路１０１ａから分岐された補給水通路５７が接続されている。補給水電磁弁６１が開弁状態に切替わると、補給水通路５７を介してシスターン装置６０に補給水が供給される。
【００３４】
暖房用熱交換器２８（暖房潜熱熱交換器２８ａ，暖房顕熱熱交換器２８ｂ）は、それぞれ、燃焼室２４内に設けられており、燃焼室２４には、暖房用熱交換器２８と共に、暖房用熱交換器２８を加熱するバーナ４６と、このバーナ４６の燃焼の給排気を行なう燃焼ファン４８とが設けられている。また、燃焼室２４と連通して燃焼室２５が設けられ、燃焼室２５内には、バーナ４７と、このバーナ４７により加熱される給湯用熱交換器２９（２９ａ，２９ｂ）とが設けられている。
【００３５】
バーナ４６，４７には、それぞれのバーナ４６，４７に燃料を供給するガス管３１，３２が接続されている。これらのガス管３１，３２は、ガス管３０から分岐形成されており、ガス管３０には、ガス開閉弁８０が介設されている。また、ガス管３１には、ガス比例弁８６とガス開閉弁８１，８２，８３，８４，８５がそれぞれ介設されている。これらの弁８０〜８６はいずれも電磁弁により形成されており、ガス開閉弁８０〜８５は、対応するバーナ４６，４７への燃料供給・停止を制御し、ガス比例弁８６は、バーナ４６，４７への供給燃料量を弁開度でもって制御する。なお、バーナ４６，４７の燃焼制御は、制御装置１０によって、適宜の制御方法により制御される。
【００３６】
給水系通路１０１は、上水源から低温の上水を貯湯槽２０に供給するものであり、給水通路１０１ａ、給水通路１０１ｂを有する。給水通路１０１ａは上水源と接続され、給水通路１０１ｂは給水通路１０１ａから分岐して貯湯槽２０の下部と接続されている。給水通路１０１ａには、流量センサ１０２、給水温度センサ１０３、減圧弁１０４、混合弁１０５が設けられ、給水通路１０１ｂには、逆止弁１０７が設けられている。
【００３７】
給湯系通路２０１は、貯湯槽２０に貯えられた湯水を給湯栓等の給湯先に供給するものであり、高温の湯水が流れる給湯通路２０１ａと、低温の上水と高温の湯水が混合した混合湯水が流れる給湯通路２０１ｂと、給湯栓等の給湯先に接続されている給湯通路２０１ｃと、からなる。給湯通路２０１ａには、給湯温度センサ２０２、混合弁２０３が設けられている。この混合弁２０３と、低温の上水が流れる給水通路１０１ａに設けられた混合弁１０５と、により低温の上水と高温の湯水の混合量が調整され、混合湯水として給湯通路２０１ｂを流れ、給湯用熱交換器２９ａに導入される。給湯通路２０１ｂには、給湯通路２０１ｂを流れる湯水の流れを検出する流量センサ７３と、湯水の温度を検出する混合湯水温度センサ７４が設けられている。また、給湯用熱交換器２９ｂの出口側には給湯通路２０１ｃが設けられており、湯水が給湯通路２０１ｃを流れて給湯栓等の給湯先に導かれる。給湯通路２０１ｃは、分岐通路７０と湯水経路切替弁５８を介して給湯通路２０１ｂと接続されている。また給湯通路２０１ｃには、分岐通路７０の分岐部よりも下流側に出湯温度センサ１１３が設けられ、給湯用熱交換器２９側に缶体温度センサ１１４が設けられている。
【００３８】
浴槽２７には、風呂往き管６３ａと風呂戻り管６３ｂを有する追い焚き循環回路６３が接続されており、この追い焚き循環回路６３は、熱交換手段（液―液熱交換器）としての風呂熱交換器６７を介して、暖房回路２１と熱的に接続されている。なお、暖房回路２１の風呂熱交換器６７を形成する管路８９には、風呂熱交換器６７の入口に追い焚き流量制御弁３８が設けられている。追い焚き循環回路６３には、浴槽湯水を循環させる風呂循環ポンプ６８が設けられ、風呂熱交換器６７は、この風呂循環ポンプ６８を駆動することによって追い焚き循環回路６３を循環する浴槽湯水を加熱する熱交換器と成る。
【００３９】
また、追い焚き循環回路６３には、風呂往き管６３ａへ流れる湯水の温度を検出する風呂往き温度センサ６４ａと、風呂戻り管６３ｂから流れてくる湯水の温度を検出する風呂戻り温度センサ６４ｂと、浴槽湯水の水位を検出する水位センサ６５と、追い焚き循環回路６３の水流を検知する風呂水流スイッチ６６とが介設されている。風呂循環ポンプ６８の吸入口側に、風呂戻り管６３ｂの一端側が接続され、風呂戻り管６３ｂの他端側が循環金具５６を介して浴槽２７に連通接続されている。風呂循環ポンプ６８の吐出口側には、風呂往き管６３ａの一端側が接続され、風呂往き管６３ａの他端側は循環金具５６を介して浴槽２７に連通接続されている。
【００４０】
また給湯通路２０１ｃには、分岐通路７０の形成部および出湯温度センサ１１３の配設部よりも下流側に、管路５４を介して出湯水ユニット５５が接続されている。出湯水ユニット５５には出湯通路２３の一端側が接続され、出湯通路２３の他端側は、風呂循環ポンプ６８に接続されている。出湯水ユニット５５には、湯張り電磁弁４２、逆止弁４３ａ，４３ｂ、湯張り水量センサ４９が設けられている。なお、給湯用熱交換器２９から給湯通路２０１ｃと管路５４、出湯水ユニット５５、出湯通路２３、風呂循環ポンプ６８、風呂熱交換器６７、風呂往き管６３ａを順に通って浴槽２７に至るまでの通路によって、湯張りや注水を行うための湯張り注水通路が構成される。
【００４１】
暖房端末５０の暖房運転を行うときには、バーナ４６によって暖房用熱交換器２８を加熱し、暖房循環ポンプ２６を駆動させる。これにより、暖房回路２１の液体が図１の矢印Ａ〜Ｇに示すように循環する。つまり、管路９５から暖房潜熱熱交換器２８ａに導入されて暖房潜熱熱交換器２８ａで加熱された液体は、シスターン装置６０を通り、管路９３を通って暖房循環ポンプ２６に導入される。
【００４２】
そして、液体分岐手段３７の熱動弁３９が開いている状態においては、液体は暖房循環ポンプ２６の吐出側から管路９０側と管路９１側とにそれぞれ流れ、管路９０側に流れた液体は、管路９０，４５を順に通って暖房端末５０ｂ，５０ｃに導入される。また、暖房循環ポンプ２６の吐出側から管路９１側に導入された液体は、管路９１を通って暖房顕熱熱交換器２８ｂに導入され、暖房顕熱熱交換器２８ｂよりさらに加熱されて高温（例えば８０℃程度）とされた後、管路９２に導入される。
【００４３】
この管路９２を通った液体は、暖房端末５０ａの熱動弁５３が開いている状態においては、管路９７側と管路８９側とにそれぞれ流れ、管路８９側（風呂熱交換器６７側）に流れた液体は、管路９６を通り、管路９５に戻る。また、管路９７側に流れた液体は、管路４０を通って暖房端末５０ａに導入される。そして、各暖房端末５０ａ〜５０ｃに導入された液体は、対応する管路４１，４４と液体合流手段３５を通り、管路９５に戻る（以降、管路９５を「暖房戻り管路」と呼ぶ場合がある）。なお、熱動弁５３，３９が閉じている場合には、その熱動弁５３，３９に接続されている暖房端末５０側への液体の流れ（管路９０，４５を通しての暖房端末５０ｂ，５０ｃへの流れや管路９７，４０を通しての暖房端末５０ａへの流れ）は停止される。
【００４４】
また、例えばリモコン装置（不図示）からの浴槽湯水の追い焚き指令を受けると、風呂循環ポンプ６８を駆動させる。これにより、暖房回路２１内の液体が風呂熱交換器６７を介して循環するとともに、追い焚き循環回路６３内の浴槽湯水が図１の矢印Ｈに示すように循環する。この浴槽湯水と暖房回路２１を通る液体とを風呂熱交換器６７を介して熱交換することにより浴槽２７内の湯水の追い焚き動作が行われる。この追い焚き動作中には、暖房高温温度センサ３３の温度が設定温度（例えば８０℃）となるようにバーナ４６の燃焼を行いながら、図示しない風呂温度センサの検出温度が風呂設定温度となるまで、暖房回路２１内の液体と追い焚き循環回路６３内の浴槽湯水とをそれぞれ循環させる。なお、風呂温度センサの検出温度が風呂設定温度となったら、バーナ４６の燃焼を停止し、暖房循環ポンプ２６と風呂循環ポンプ６８は、予め定められたポストポンプ時間経過後に停止する。
【００４５】
さらに、浴槽２７への湯張り（自動湯張り動作）を行うときには、バーナ４７の燃焼によって給湯用熱交換器２９を通る水を加熱し、湯張り注水通路を通して湯を浴槽２７に注ぐ。そして、この自動湯張り後、例えば４時間といった保温動作時間中には、風呂温度センサの検出温度を監視し、この検出温度が予め設定される風呂設定温度より予め定められている許容範囲を超えて低下したときには、前記の追い焚き動作を例えば３分間行い、風呂温度センサの検出温度が風呂設定温度となるようにする保温モードの機能の動作が行われる。
【００４６】
（３．ペルチェ素子）
ペルチェ素子１２０は、２種類の金属の接合部に電流を流すと、片方の金属からもう片方へ熱が移動するペルチェ効果を利用した板状の半導体素子である。直流電流を流すと、一方の面が吸熱し、反対面は放熱する。電流の極性を逆転させると、この関係が逆転し、一方の面が放熱し、反対面は吸熱する。ペルチェ素子は、小型であるため、大きな設置スペースを必要としない点で有利である。
【００４７】
本発明において、ペルチェ素子１２０の一方の面（面部１２１）は、熱回収循環回路７中の熱回収戻り管路７ｂと接触するように設けられている。このようにペルチェ素子１２０を設けることで、熱回収戻り管路７ｂを冷却（または加熱）することができる。
【００４８】
またペルチェ素子１２０の反対面（面部１２２）は、コージェネレーションシステム１の機器筐体と接触するように設けられる。例えば、貯湯装置２００の機器筐体内部の側面、底面、上面のいずれかに接触するように設けられる。一般的にペルチェ素子は発熱量が大きいため、発生した熱を冷やすために大きなヒートシンクを設けたり、ラジエータ等のファンを設けたりする必要がある。本実施形態では、ペルチェ素子１２０の面部１２２をコージェネレーションシステム１の機器筐体と接触するように設けて、ペルチェ素子１２０から発生する熱を、機器筐体へ放熱し逃がすようにする。このため、ヒートシンクやラジエータ等の別途の冷却手段を設ける必要がない。
【００４９】
ペルチェ素子１２０の温度特性は、制御装置１０によって制御される。制御装置１０によって、ペルチェ素子１２０の極性が切替えられ、また、ペルチェ素子１２０表面の温度を検出する温度センサや熱回収温度センサ１９ｂで検出される冷却水の温度を適切に管理しながら、ペルチェ素子１２０の冷却温度（または加熱温度）を所望の温度に制御する。
【００５０】
ペルチェ素子１２０の素子サイズは、実施の態様に合わせたものを適宜採用する。また、冷却効果（または加熱効果）を高めるために、複数段に重ねたペルチェ素子１２０を熱回収戻り管路７ｂに設けるようにしてもよい。
【００５１】
（４．制御装置）
制御装置１０は、上述したコージェネレーションシステム１を構成する各機器を制御する。制御装置１０は、マイクロプロセッサ、ＣＰＵ等に例示される制御部、各制御動作を実行するためのプログラムや制御パラメータを格納した、メモリ等から構成される記憶部、タイマ等を備えている。そして、制御装置１０は、制御部が、記憶部に格納された所定の制御プログラムを読み出し、これを実行することにより、コージェネレーションシステム１の各種動作を制御する。
【００５２】
なお、制御装置１０は、単独の制御装置で構成されてもよいし、複数の制御装置が協働してコージェネレーションシステム１の制御を実行するように構成されてもよい。また、制御装置１０は、ＭＰＵ、ＰＬＣ(ｐｒｏｇｒａｍｍａｂｌｅ  ｌｏｇｉｃ  ｃｏｎｔｒｏｌｌｅｒ)、論理回路等によって構成されてもよい。また制御装置１０は、図１の例に限らず、貯湯装置２００に設置されてもよい。また制御装置１０は、発電装置１００と貯湯装置２００に分散して配置され、協働してコージェネレーションシステム１の各機器を制御するように構成してもよい。
【００５３】
＜コージェネレーションシステム１の制御動作＞
次にコージェネレーションシステム１の制御動作について説明する。本発明では、通常時においては常法に従い一般的な制御方法によってコージェネレーションシステム１の運転が制御される。通常時とは、コージェネレーションシステム１を設置した家庭等への電力供給が平常に行われており（送電状態）、かつ、水道局等からの送水が平常に行われている（通水状態）場合をいう。一方、非常時においては、非常時に特化した制御方法によってコージェネレーションシステム１の運転が制御される。非常時とは、コージェネレーションシステム１を設置した家庭等への電力供給が何らかの原因（災害や計画停電等）により停止しており（停電状態）、かつ、停電によって水の供給がされない（断水状態）場合をいう。この点について詳述すると、水道局には停電に備えて自家発電装置があり、停電しても水道局からマンション貯水槽までは送水される。しかし、マンションに自家発電装置を設置していない場合が多く、停電すれば、機械式駐車場から自家用車を取り出すこともできず、エレベーターも止まり、冷蔵庫内の食品が腐り始め、マンション貯水槽から各戸に送るポンプも動かない。
【００５４】
図２は、コージェネレーションシステム１の基本制御動作を示すフローチャートである。コージェネレーションシステム１は、通常時においては、一般的な制御方法によって運転が制御（通常時制御）される（ステップＳ１）。例えば、制御装置１０は、電力負荷計測器（不図示）で計測された電力負荷需要量が、コージェネレーションシステム１の定格出力以上の場合には、コージェネレーションシステム１を定格出力以上で発電運転し、定格出力分（例えば７００Ｗ）を電力負荷に電力を供給するとともに、電力負荷需要量の残りの不足分は、商用電源により賄う。定格出力以上で発電運転し、供給する定格出力分を差し引いた電力は、コージェネレーションシステム１内の、例えば、空気供給装置３、冷却水ポンプ５、熱回収循環ポンプ８、電力変換装置９、制御装置１０等、の発電運転に必要な各機器の駆動電力として割与えるとともに、余剰電力消費ヒータ１４に供給され、電力を熱に変換し、例えば熱回収循環回路７（熱回収往き管路７ａ）を通流する湯水に伝熱することで貯湯槽２０へ通流する湯水を加熱する。一方、電力負荷需要量がコージェネレーションシステム１の定格出力未満の場合には、コージェネレーションシステム１を電力負荷需要量相当で発電運転し、電力負荷へ電力を供給する。さらに、電力負荷需要量がコージェネレーションシステム１の最低発電量未満の場合には、コージェネレーションシステム１を最低発電量で発電運転し、電力負荷へ電力を供給するとともに、余剰電力消費ヒータ１４により残りの電力（余剰電力）を熱に変換し、熱回収循環回路７（熱回収往き管路７ａ）を通流する湯水に伝熱する。
【００５５】
また、制御装置１０は、熱回収循環回路７内の湯水が、回収可能な一定の温度以上（例えば６０℃以上）となるように、熱回収循環ポンプ８の循環流量を制御する。例えば、熱回収温度センサ１９ａで検出される温度が目標温度より低下すると、熱回収循環ポンプ８の流量を減少させ、熱回収温度センサ１９ａで検出される温度が高温を維持するように制御する。また、循環量だけでは一定の温度以上に制御できない場合には、熱回収循環回路７の回路を切り替えて貯湯槽２０へ経由せずに発電装置１００に戻すように制御する。
【００５６】
ここで、通常、発電装置１００がオーバーヒートせずに発電を継続するためには、発電装置１００へ戻る湯水の温度が一定の温度以下でなければならない。このため、熱回収温度センサ１９ｂで検出される温度が所定以上に上昇すると、発電装置１００の運転を停止する。通常は、お湯を使用すると、貯湯槽２０の上部に蓄えられた湯が出て行き、それに見合った新たな水が貯湯槽２０の下部に送り込まれる（貯湯槽２０の下部に送り込まれる水で貯湯槽２０の上部に蓄えられた湯が押し出される）ので、適宜湯を使用すると貯湯槽２０の下部には常時水で満たされ、発電装置１００へ戻る湯水の温度は一定の温度以下に維持される。発電装置１００の発電継続（給湯使用により、貯湯槽２０の下部に送り込まれた水を発電装置１００の冷却水として使用）と給湯（発電装置１００の発電によって出た排熱によって水を湯にしたものの）使用とが好循環し、オーバーヒートせずに発電を継続することができる。
【００５７】
一方、コージェネレーションシステム１は、災害や計画停電等により停電状態（非常時）になると（ステップＳ２；Ｙｅｓ）、自立運転モードとなり、商用電力系統を切り離し、発電の継続に必要な各種機器に必要な電力を供給しつつ、停電時専用コンセントに電力を供給し（例えば５００Ｗ）、非常時に特化した制御方法によって運転が制御（非常時制御）される（ステップＳ３）。
【００５８】
このとき、電力負荷需要量が、コージェネレーションシステム１の非常時定格出力未満（例えば５００Ｗ未満）の場合であっても、コージェネレーションシステム１は非常時定格出力以上（例えば５００Ｗ以上）での発電運転を継続し、電力負荷需要量がコージェネレーションシステム１の最低発電量未満の場合であっても、コージェネレーションシステム１は非常時定格出力以上（例えば５００Ｗ以上）での発電運転を継続して、電力負荷へ電力を供給する。
【００５９】
非常時定格出力以上（例えば５００Ｗ以上）で発電運転し、供給する定格出力分を差し引いた電力は、余剰電力となる。また、停電時専用コンセントに供給を行ったが家庭内において電力が使用されない場合にも余剰電力が発生する。例えば、停電時専用コンセントに供給する定格出力を５００Ｗとした場合、この停電時専用コンセントに例えば冷蔵庫を接続すると、１．コンプレッサー起動（起動時４８０Ｗ）、２．定格運転（３８０Ｗ）、３．庫内一定温度到達でコンプレッサー停止（３０Ｗ）のように負荷が変動し、これに伴って、１．余剰電力２０Ｗ、２．余剰電力１２０Ｗ、３．余剰電力４７０Ｗが発生する。
【００６０】
上記した余剰電力の一部は、発電装置１００内の、例えば、空気供給装置３、冷却水ポンプ５、熱回収循環ポンプ８、電力変換装置９、制御装置１０等、の駆動電力として割与えられる。
【００６１】
ここで、非常時においては、前述したように停電によって水の供給がされない（断水状態）。通常時のような湯の使用が止まることで、貯湯槽２０の下部に送り込まれる新たな水の供給がないままに発電装置１００の発電を継続するため、貯湯槽２０の上部に送り込まれた高温の湯水が貯湯槽２０の下部にまで至ってしまう。このため、発電装置１００へ通流する湯水も高温となり、発電装置１００がオーバーヒートを起こす可能性がある。
【００６２】
本発明では、上記した余剰電力の一部を更にペルチェ素子１２０の駆動するために割与え、ペルチェ素子１２０を用いて貯湯槽２０から発電装置１００へ通流する湯水を冷却する。これにより、停電時における発電を好適に継続させることが可能となる。この際、余剰電力消費ヒータ１４への電力供給を停止する。貯湯槽２０へ通流する湯水が余剰電力消費ヒータ１４により加熱され、発電装置１００を冷却するための冷却水として好適に使用できなくなることを防ぐためである。
【００６３】
図３は、ペルチェ素子１２０を用いた冷却制御の動作の流れを示すフローチャートである。まず、制御装置１０は、所定時間おきに熱回収温度センサ１９ｂにより熱回収戻り管路７ｂを流れる湯水の温度Ｔを取得し、この温度Ｔが所定の閾値Ｔａを超えているか否かを判定する（ステップＳ１１）。閾値Ｔａは、これ以上の温度上昇があると発電が停止する虞がある温度として（冷却制御の開始条件として）予め定められた値である。
【００６４】
温度Ｔが所定の閾値Ｔａを超えると（ステップＳ１１；Ｙｅｓ）、制御装置１０は、ペルチェ素子１２０に通電を開始し、ペルチェ素子１２０の面部１２１（冷却面）を介して熱回収戻り管路７ｂを冷却するように制御する（ステップＳ１２）。これにより、熱回収戻り管路７ｂを流れる湯水が冷やされていく。このときペルチェ素子１２０の面部１２２（放熱面）は、コージェネレーションシステム１の機器筐体と接触しているため、ペルチェ素子１２０が発生する熱は、機器筐体を介して逃される。
【００６５】
ペルチェ素子１２０の制御を開始したあと、制御装置１０は、引き続き、熱回収温度センサ１９ｂにより熱回収戻り管路７ｂを流れる湯水の温度Ｔを監視し、この温度Ｔが所定の閾値Ｔｂ以下になると（ステップＳ１３；Ｙｅｓ）、ペルチェ素子１２０への通電を停止し、冷却制御を終了する（ステップＳ１４）。
閾値Ｔｂは、これ以下の温度下降があれば発電を継続することが可能な温度として（冷却制御の停止条件として）予め定められた値である。通常、前述のＴａに対し、閾値Ｔａ≦閾値Ｔｂの関係を満たすように設定されている。
なお、ペルチェ素子１２０の冷却制御が終了すると、通常運転時と同様に、余剰電力の余剰電力消費ヒータ１４への供給を再開する。
【００６６】
以上のように、本発明の実施の形態によれば、通常時には、定格出力以上で発電運転し、定格出力分（例えば７００Ｗ）を電力負荷に電力を供給するとともに、発電により余った余剰電力をコージェネレーションシステム１内の各機器へ供給するとともに、余剰電力消費ヒータ１４へ優先的に供給して、電力を熱に変換し、貯湯槽２０へ通流する湯水を加熱する。そして、非常時になると停電時専用コンセントに電力を供給（例えば５００Ｗ）しつつ、制御装置１０が熱回収戻り管路７ｂの湯水の温度を監視し、この温度が所定の閾値を超えると、発電により余った余剰電力をコージェネレーションシステム１内の自立運転に必要な各機器へ供給するとともに、余剰電力消費ヒータ１４へ供給するのに換えてペルチェ素子１２０へ優先的に供給して、発電装置１００へ通流する湯水を冷却する。
これにより、発電装置１００には常に一定温度以下の湯水が供給されることとなり、長時間に亘り、発電を継続することが可能となる。特にペルチェ素子１２０は小規模なデバイスであるため、ラジエータのように大きな設置スペースを必要とせず、また、冷却手段に掛けるコスト負担を大幅に抑えることができる。
【００６７】
なお、本発明の実施の形態では、熱回収戻り管路７ｂに設けられた熱回収温度センサ１９ｂで検出される温度に基づいて、ペルチェ素子１２０による冷却制御を行ったが、これに限定されず、例えば冷却水循環回路４に設けられた冷却温度センサ１３で検出される冷却水の温度に基づいて、ペルチェ素子１２０による冷却制御を行ってもよい。
【００６８】
また必要に応じて通常時における定格出力（例えば７００Ｗ）と非常時における定格出力（例えば５００Ｗ）に差を設け、この差分で、より安定したペルチェ素子１２０を用いた冷却を行ってもよい。これにより、非常時における電力供給の安定化が図られる。
なお、本発明の実施の形態では、非常時において余剰電力消費ヒータ１４への電力供給を停止するようにしたが、非常時においても余剰電力消費ヒータ１４への電力供給を継続してもよい。これにより、ペルチェ素子１２０によって過度に湯水が冷却されることを防止したり、或いは貯湯槽２０内の湯水が飲用不適切となることを防止することができる。
【００６９】
［変形例］
ペルチェ素子１２０は、極性を変えることで、冷却と放熱の関係を逆転させることができる。この場合、熱回収戻り管路７ｂと接触するペルチェ素子１２０の面部１２１が放熱面になる。そこで、次のようにペルチェ素子１２０を凍結防止手段として利用することもできる。
【００７０】
図４は、ペルチェ素子１２０を用いた凍結防止制御（加熱制御）の動作の流れを示すフローチャートである。まず、制御装置１０は、熱回収温度センサ１９ｂにより検出される温度Ｔが所定の閾値Ｔα以下であるか否かを判定する（ステップＳ２１）。閾値Ｔαは、これ以下の温度下降があると熱回収循環回路７を通流する湯水が凍結する虞がある温度として（凍結防止制御の開始条件として）予め定められた値である。
【００７１】
温度Ｔが閾値Ｔα以下になると、凍結する虞があると判断し（ステップＳ２１；Ｙｅｓ）、制御装置１０は、ペルチェ素子１２０に通電を開始し、ペルチェ素子１２０の面部１２１（放熱面）を介して熱回収戻り管路７ｂを加熱するように制御する（ステップＳ２２）。これにより、熱回収戻り管路７ｂを流れる湯水が温められていく。
【００７２】
ペルチェ素子１２０の制御を開始したあと、制御装置１０は、引き続き、熱回収温度センサ１９ｂにより熱回収戻り管路７ｂを流れる湯水の温度Ｔを監視し、この温度Ｔが所定の閾値Ｔβを超えると、凍結の虞が解消したものと判断し（ステップＳ２３；Ｙｅｓ）、ペルチェ素子１２０への通電を停止し、加熱制御を終了する（ステップＳ２４）。閾値Ｔβは、これ以上の温度上昇があれば凍結する虞がない温度として（凍結防止制御の停止条件として）予め定められた値である。通常、前述のＴαに対し、閾値Ｔα≦Ｔβの関係を満たすように設定される。
【００７３】
一般的に配管には凍結防止のためのヒータが設けられているが、上記したようにペルチェ素子１２０を凍結防止手段として利用することができるため、ヒータを別途設ける必要がない。なお、上述の例に限らず、外気温度、或いは熱回収戻り管路７ｂの表面温度により凍結の虞があるかを判定してもよい。
【００７４】
［第２実施形態］
次に、図５、６を参照して、本発明の第２実施形態について説明する。
【００７５】
＜コージェネレーションシステム１Ａの構成＞
図５は、第２実施形態に係るコージェネレーションシステム１Ａの全体構成を示す図である。第２実施形態では、ペルチェ素子１２０Ａの面部１２２Ａ（放熱面）が暖房回路２１の管路９５（暖房戻り管路）と接触するように設けられる点で第１実施形態と異なる。これにより、熱回収戻り管路７ｂから吸熱した熱を、暖房回路２１を流れる熱媒体に伝熱させた上で、燃焼室２４に設けられたバーナ４６の燃焼の給排気を行う燃焼ファン４８で冷却することができる。
【００７６】
＜コージェネレーションシステム１Ａの制御動作＞
図６は、ペルチェ素子１２０Ａを用いた冷却制御の動作の流れを示すフローチャートであるまず第１実施形態と同様に、制御装置１０は、所定時間おきに熱回収温度センサ１９ｂにより熱回収戻り管路７ｂを流れる湯水の温度Ｔを取得し、この温度Ｔが所定の閾値Ｔａを超えているか否かを判定する（ステップＳ３１）。
【００７７】
この温度Ｔが所定の閾値Ｔａを超えると（ステップＳ３１；Ｙｅｓ）、制御装置１０は、ペルチェ素子１２０Ａに通電を開始し、ペルチェ素子１２０Ａの面部１２１Ａ（冷却面）を介して熱回収戻り管路７ｂを冷却するように制御する（ステップＳ３２）。これにより、熱回収戻り管路７ｂを流れる湯水が冷やされていく。このときペルチェ素子１２０Ａの面部１２２Ａ（放熱面）は、暖房回路２１の管路９５（暖房戻り管路）と接触しているため、ペルチェ素子１２０Ａが発生する熱は暖房回路２１の管路９５（暖房戻り管路）に放熱されることとなる。
【００７８】
続いて、制御装置１０は、追い焚き流量制御弁３８を開き（ステップＳ３３）、ペルチェ素子１２０Ａの面部１２２Ａ（放熱面）、管路９５（暖房戻り管路）、暖房潜熱熱交換器２８ａ、管路９４、シスターン装置６０、管路９３、暖房循環ポンプ２６、管路９１、暖房顕熱熱交換器２８ｂ、管路９２、追い焚き流量制御弁３８、風呂熱交換器６７、管路９６を経由してペルチェ素子１２０Ａの面部１２２Ａ（放熱面）に戻る閉回路（図３の太線で示す回路）を構成する。
【００７９】
そして、制御装置１０は、燃焼ファン４８の回転制御を行うとともに、暖房循環ポンプ２６を駆動させる（ステップＳ３４）。これにより、図３の太線に示す暖房回路２１中の閉回路を熱媒体が循環する。なおこのとき、燃焼室２４のバーナ４６による燃焼制御は行わない。これにより、ペルチェ素子１２０Ａにより加熱された熱媒体は、燃焼室２４内の暖房潜熱熱交換器２８ａおよび暖房顕熱熱交換器２８ｂを通る際に、燃焼ファン４８から送られる空気によって熱交換（冷却）されることとなる。
【００８０】
そして、ペルチェ素子１２０Ａの制御を開始したあと、制御装置１０は、引き続き、熱回収温度センサ１９ｂにより熱回収戻り管路７ｂを流れる湯水の温度Ｔを監視し、この温度Ｔが所定の閾値Ｔｂ以下になると（ステップＳ３５；Ｙｅｓ）、ペルチェ素子１２０Ａへの通電を停止し、冷却制御を終了する（ステップＳ３６）。また、燃焼ファン４８および暖房循環ポンプ２６の稼働を停止し、暖房回路２１内の熱媒体の循環を停止する。
【００８１】
以上の動作により、ペルチェ素子１２０Ａから吸熱された熱は、暖房潜熱熱交換器２８ａおよび暖房顕熱熱交換器２８ｂにおいて燃焼ファン４８から送られる空気によって外気に放熱されることとなる。これにより、ペルチェ素子１２０Ａにより発生する熱を、常設されている燃焼ファン４８を用いて冷却することができる。このため、ペルチェ素子１２０Ａにより発生する熱を冷却するための別途の冷却手段（ラジエータ等の冷却装置）を設ける必要がない。
【００８２】
［変形例］
なお、冬季などの暖房需要がある場合には、暖房回路２１に放熱された熱を暖房運転に有効利用することもできる。例えば、暖房端末５０の暖房運転が行われているとする。すなわち、バーナ４６によって暖房用熱交換器２８が加熱され、暖房循環ポンプ２６を駆動させることにより、暖房回路２１を熱媒体が図１の矢印Ａ〜Ｇに示すように循環している。このとき、ペルチェ素子１２０Ａは、熱回収戻り管路７ｂから吸熱した熱を暖房回路２１の管路９５（暖房戻り管路）に放熱する。これにより、暖房回路２１を循環する熱媒体が管路９５において補助的に加熱されることとなる。このように、ペルチェ素子１２０Ａにより熱回収戻り管路７ｂを冷却した際に発生する熱を、暖房運転の加熱用途に利用することができる。また、浴槽２７に所定の閾値よりも低い温度の水がある場合は、更に風呂循環ポンプ６８を運転することで、ペルチェ素子１２０の放熱を浴槽水を温めるために利用してもよい。
【００８３】
以上、添付図面を参照しながら、本発明に係る好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００８４】
１，１Ａ：コージェネレーションシステム
４        ：冷却水循環回路
５        ：冷却水ポンプ
６        ：熱交換器
７        ：熱回収循環回路
７ａ      ：熱回収往き管路
７ｂ      ：熱回収戻り管路
８        ：熱回収循環ポンプ
１０      ：制御装置
１１      ：燃料電池
１３      ：冷却温度センサ
１９ａ，１９ｂ    ：熱回収温度センサ
２０      ：貯湯槽
２１      ：暖房回路
２４      ：燃焼室
２６      ：暖房循環ポンプ
２８      ：暖房用熱交換器
２８ａ    ：暖房潜熱熱交換器
２８ｂ    ：暖房顕熱熱交換器
３８      ：追い焚き流量制御弁
４６      ：バーナ
４８      ：燃焼ファン
５０      ：暖房端末
６０      ：シスターン装置
６７      ：風呂熱交換器
６８      ：風呂循環ポンプ
１００    ：発電装置
１２０、１２０Ａ    ：ペルチェ素子
２００    ：貯湯装置
【図１】
2017116192.tif 000003
【図２】
2017116192.tif 000004
【図３】
2017116192.tif 000005
【図４】
2017116192.tif 000006
【図５】
2017116192.tif 000007
【図６】
2017116192.tif 000008